(57)【特許請求の範囲】
【請求項１】
下記（ａ）および（ｂ）を含んでなる、水に加えられるとすぐに封入された香料を放出する、カプセル封入香料粒子。
（ａ）水溶性加工デンプン固体マトリックス［ここで、加工デンプンが、デンプン原料をオクテニル−コハク酸無水物を用いて処理することによって加工されたデンプン原料を含んでなる］；
（ｂ）少なくとも２種のハイ・インパクト・アコード（「ＨＩＡ」）香料成分を少なくとも４０重量％含んでなる、前記加工デンプンの固体マトリックスによってカプセル封入された香料油［ここで、前記各香料成分は（１）７６０ｍｍＨｇにおいて沸点が２７５℃以下、（２）計算ＣＬｏｇＰ値が２．０以上であり、および（３）臭気検出限界（「ＯＤＴ」）が５０ｐｐｂ以下で、かつ１０ｐｐｂより大であり、かつ
前記ＨＩＡ香料成分は、
４−（２，２，６−トリメチルシクロヘキシ−１−エニル）−２−エン−４−オン、
（Ｅ，Ｚ）−２，４−デカジエン酸エチルエステル、
６−（および８−）イソプロピルキノリン、
アセトアルデヒドフェニルエチルプロピルアセタール、
（２−メチルブトキシ）−酢酸２−プロペニルエステル、
（３−メチルブトキシ）−酢酸２−プロペニルエステル、
２，６，１０−トリメチル−９−ウンデセナール、
２−ペンチルオキシ−グリコール酸アリルエステル、
ヘキサン酸２−プロペニルエステル、
１−オクテン−３−オール、
トランスアネトール、
イソブチル（ｚ）−２−メチル−２−ブテノエート、
アニスアルデヒドジエチルアセタール、
４−（１，１−ジメチルエチル）−ベンゼンプロパナール、
２，６−ノナジエン−１−オール、
３−メチル−５−プロピル−シクロヘキセン−１−オン、
（Ｚ）−２−メチル−ブタン酸３−ヘキセニルエステル、
［（３，７−ジメチル−６−オクテニル）オキシ］−アセトアルデヒド、
ラウロニトリル、
２，４−ジメチル−３−シクロヘキセン−１−カルブアルデヒド、
１−（２，６，６−トリメチル−１，３−シクロヘキサジエン−１−イル）−２−ブテン−１−オン、
（Ｅ）−１−（２，６，６−トリメチル−２−シクロヘキセン−１−イル）−２−ブテン−１−オン、
ガンマ−デカラクトン、
トランス−４−デセナール、
デカナール、
２−ペンチルシクロペンタノン、
１−（２，６，６−トリメチル−３−シクロヘキセン−１−イル）−２−ブテン−１−オン）、
２，６−ジメチルヘプタン−２−オール、
１，１′−オキシビス−ベンゼン、
１−（５，５−ジメチル−１−シクロヘキセン−１−イル）−４−ペンテン−１−オン、
２−メチル−ブタン酸エチルエステル、
エチルアントラニレート、
１，３，３−トリメチル−２−オキサビシクロ［２．２．２］オクタン、
オイゲノール、
３−（３−イソプロピルフェニル）ブタナール、
メチル  ２−オクチノエート、
４−（２，６，６−トリメチル−１−シクロヘキセン−１−イル）−３−ブテン−２−オン、
２−メトキシ−３−（２−メチルプロピル）−ピラジン、
６−ｓｅｃ−ブチルキノリン、
イソオイゲノール、
テトラヒドロ−６−（３−ペンテニル）−２Ｈ−ピラン−２−オン、
シス−３−ヘキセニルメチルカーボネート、
リナロール、
（Ｅ）−７，１１−ジメチル−３−メチレン−１，６，１０−ドデカトリエン、
２，６−ジメチル−５−ヘプテナール、
ヘキサヒドロ４，７−メタノインダン  １−カルボキシアルデヒド、
２−メチルウンデカナール、
メチル  ２−ノニノネート、
１，１−ジメトキシ−２，２，５−トリメチル−４−ヘキセン、
２−ヒドロキシ−安息香酸メチルエステル、
１−（５，５−ジメチル−１−シクロヘキセン−１−イル）４−ペンテン−１−オン、
３，６−ジヒドロ−４−メチル−２−（２−メチル−１−プロペニル）−２Ｈ−ピラン、
（Ｚ）−３，７−ジメチル−２，６−オクタジエンニトリル、
２，６−ノナジエナール、
（Ｚ）−６−ノネナール、
ノナナール、
オクタナール、
２−ノネンニトリル、
酢酸４−メチルフェニルエステル、
ガンマ−ウンデカラクトン、
６，６−ジメチル２−ノルピネン−２−プロピオンアルデヒド、
４−ノナノリド、
９−デセン−１−オール、
テトラヒドロ−４−メチル−２−（２−メチル−１−プロペニル）−２Ｈ−ピラン、
５−メチル−３−ヘプタノンオキシム、
３，７−ジメチル−オクタナール、
４−メチル−３−デセン−５−オール、
１０−ウンデセン−１−アール、
２−（１−エチルプロピル）−ピリジン、および
デカヒドロ−スピロ［フラン−２（３Ｈ），５′−［４，７］メタノ［５Ｈ］インデン］
からなる群より選択される少なくとも２種である］。
【請求項２】
香料油が、少なくとも５０％のＨＩＡ香料成分を含んでなる、請求項１に記載のカプセル封入香料粒子。
【請求項３】
香料油が、少なくとも７０％のＨＩＡ香料成分を含んでなる、請求項１に記載のカプセル封入香料粒子。
【請求項４】
下記Ｉ）および II）を含んでなる、顆粒洗浄剤組成物。
Ｉ）前記（ａ）および（ｂ）を含んでなる、請求項１に記載のカプセル封入香料粒子  ０．０１〜５０重量％、
II）界面活性剤、ビルダー、漂白剤、酵素、汚れ放出ポリマー、染料移行防止剤、充填材、およびこれらの混合物よりなる群から選択される慣用の洗濯成分  ５０〜９９．９９％。
【請求項５】
該組成物が、０．０５〜８．０重量％のカプセル封入香料粒子を含んでなり、ここで前記香料油が少なくとも５０％のＨＩＡ香料成分と、９２〜９９．９５％の慣用の洗濯成分とを含んでなる、請求項４に記載の顆粒洗浄剤組成物。
【請求項６】
該組成物が、０．０５〜３．０重量％のカプセル封入香料粒子を含んでなり、ここで前記香料油が少なくとも５０％のＨＩＡ香料成分と、９７〜９９．９５％の慣用の洗濯成分とを含んでなる、請求項４に記載の顆粒洗浄剤組成物。
【請求項７】
該組成物が、０．０５〜１．０重量％のカプセル封入香料粒子を含んでなり、ここで前記香料油が少なくとも５０％のＨＩＡ香料成分と、９９〜９９．９５％の慣用の洗濯成分とを含んでなる、請求項４に記載の顆粒洗浄剤組成物。
【請求項８】
洗浄剤組成物の表面に噴霧された香料をさらに含んでなる、請求項４に記載の顆粒洗浄剤組成物。
【請求項９】
洗浄剤組成物の表面に噴霧された香料をさらに含んでなる、請求項５に記載の顆粒洗浄剤組成物。
【請求項１０】
洗浄剤組成物の表面に噴霧された香料をさらに含んでなる、請求項６に記載の顆粒洗浄剤組成物。
【請求項１１】
洗浄剤組成物の表面に噴霧された香料をさらに含んでなる、請求項７に記載の顆粒洗浄剤組成物。
【発明の詳細な説明】
【０００１】
【発明の背景】
発明の分野
本発明は、特にハイ・インパクト・アコード（high inpact accord）（ＨＩＡ）香料成分を放出するための、カプセル封入された香料粒子、およびこれらのカプセル封入された香料粒子を含む洗浄剤組成物、特に顆粒洗浄剤に関する。
【０００２】
背景技術
大部分の消費者は香りのある洗浄剤製品を求め、そしてこれらの製品で洗濯された布地および他の品物も快い香りを有することを求めるようになってきた。世界の多くの地域では手による洗濯が布地を洗濯する主な手段となっている。汚れた布地を手で洗濯するとき、使用者は洗濯液とひんぱんに接触し、そこで使用される洗浄剤製品に直接接触することになる。手による洗濯液はまた汚れた布地に付着すると不快な臭いを生じうる。従って、そのような製品に香料を加えることは望ましくかつ商業的に有利である。香料添加剤は洗濯用組成物を消費者にとってより感覚的に快いものにし、場合によっては、香料はそれで処理した布地に快い香りを付与する。しかしながら、水性洗濯浴から布地へ移る香料の量はたいていわずかである。従って、工業界では、長期持続性で貯蔵安定性の香りを製品にもたらす、並びに使用中の水溶液の臭いを隠し、洗濯した品物に香りを付与する、洗浄剤製品用の効果的な香料放出系が長い間求められてきた。
【０００３】
組成物と混合したまたは組成物に噴霧した香料を含有する洗浄剤組成物は、商業的慣行から周知である。香料は揮発性化合物と組み合わせてつくられているので、香料が加えられた簡単な溶液および乾燥混合物から香料は絶えず放出されうる。組成物が長期間、感覚的に快いものであるために、組成物からの香料の放出を妨げるまたは遅らせる様々な技術が開発されてきた。しかしながら、製品の長期貯蔵後も布地および水溶液に有意な香りの効果をもたらす方法は、これまでにごくわずかしかない。
【０００４】
さらに、効果的かつ効率的に香料を水性洗濯浴に放出して、溶液のすぐ上のヘッドスペースへ、次いで洗濯浴から布地表面へ比較的強い香りをもたらす方法および組成物が依然として求められている。洗濯サイクルを通しての香料の保護、その後の香料の布地への放出を含めた、様々な香料放出法が開発されてきた。
【０００５】
香料を洗濯サイクルへ放出する１つの方法は、米国特許第４，２０９，４１７号、Ｗｈｙｔｅ、１９８０年６月２４日発行；米国特許第４，３３９，３５６号、Ｗｈｙｔｅ、１９８２年７月１３日発行；および米国特許第３，５７６，７６０号、Ｇｏｕｌｄ等、１９７１年４月２７日発行に記載のような、香料と乳化剤および水溶性ポリマーとを組み合わせ、この混合物を粒子にし、そしてこれらを洗濯用組成物へ加えるものである。この産業分野でかなりの効果をあげたが、洗濯用組成物と混合して、初期的および持続的効果を、洗濯製品で処理した布地にもたらすことができる単純で、より効果的かつ効率的な香料放出系が依然として求められている。
【０００６】
香りのある製品を提供する別の問題は、製品、特に高密度顆粒洗浄剤組成物に伴う香りの強さである。洗浄剤組成物の密度および濃度が高くなるにつれて、香料成分からの香りの強さは不所望なものになる。従って、使用中におよびその後は乾燥布地から香料の香りを実質的に放出するが、製品自体には過度に強い香りを付与しない香料放出系が望まれる。
【０００７】
本発明により、このたび、香料成分特定の選択基準に基づいて選択すると、洗濯工程中および／または後の効果を最大にし、同時に、消費者にそれとわかる効果を得るのに必要な成分の総量を最少にすることができことを見いだした。そのような組成物は、消費者にそれとわかる効果（例えば、香りのよさ）であるという点ばかりでなく、より少ない成分の効果的使用によるコスト減の可能性があるという点でも望ましい。
【０００８】
本発明は、洗濯工程中および後に意外な香りの効果（特に水溶液の香りの効果）をもたらす簡単で効果的で貯蔵安定性の放出系に対する長年の求めを解決するものである。さらに、カプセル封入香料含有組成物は、組成物の貯蔵中の製品臭を減少させる。
【０００９】
【発明の概要】
本発明は、加工デンプンでカプセル封入したハイ・インパクト・アコード（ＨＩＡ）香料粒子に関する。この粒子は、加工デンプンと、７６０ｍｍＨｇにおいて沸点が２７５℃以下、計算ＣＬｏｇＰ値が２．０以上、および臭気検出限界が５０ｐｐｂ（１０億部当たりの部）以下の少なくとも２種のＨＩＡ香料成分を含む香料油と、を含み、このとき、前記香料成分は加工デンプンでカプセル封入されている。
【００１０】
本発明はさらに、約０．０１〜５０％（好ましくは約０．０５〜８．０％、より好ましくは約０．０５〜３．０％、最も好ましくは約０．０５〜１．０％）の本発明による香料粒子と、合計約５０〜約９９．９９％、好ましくは約９２〜約９９．９５％、より好ましくは約９７〜約９９．９５％、最も好ましくは約９９〜約９９．９５％の、界面活性剤、ビルダー、漂白剤、酵素、汚れ放出ポリマー、染料移行防止剤、充填材、およびこれらの混合物よりなる群から選択される慣用の洗濯成分とを含んでなる洗濯用組成物に関する。
【００１１】
ここにおける全ての百分率、比率、および割合は、断りがなければ、重量に基づく。全ての引用文献は参照することによって全てここに記載されたものとする。
【００１２】
【発明の具体的説明】
発明の実施の形態
本発明は、加工デンプンでカプセル封入されたＨＩＡ香料粒子による特に望ましくかつ顕著なよい香りを有する、布地の洗濯に有用な香りのある乾燥粒状洗浄剤組成物を提供する。ＨＩＡ香料油は少なくとも２種のＨＩＡ香料成分を含有する。ＨＩＡ香料成分は７６０ｍｍＨｇにおける沸点が２７５℃以下、オクタノール／水分配係数であるＰの計算ｌｏｇ10値が約２以上、かつ臭気検出限界が５０ｐｐｂ以下である。
【００１３】
ＨＩＡ香料成分は後に詳記する特定の選択基準により選択される。選択基準によって、さらに、配合者は、加工デンプンに封入したときのこれらの薬剤間の相互作用を有利にして、使用成分量を最少にしながら、消費者にとっての顕著な効果を最大にすることが可能となる。
【００１４】
遊離香料とカプセル封入香料の両方を同じ粒状洗浄剤組成物に用いるのも好ましく、この２種の香料は同じ香料でも、異なる香料でもよい。通常、遊離香料は製品（または容器）に香りを付け、基本製品の香りをカバーし、一方、カプセル封入香料は、洗浄剤組成物を洗濯水に希釈したときの使用時の香りを提供する。
【００１５】
ＨＩＡ香料油
ＨＩＡ香料油はＨＩＡ香料成分を含む。ＨＩＡ香料成分は、その沸点（Ｂ．Ｐ．）、オクタノール／水分配係数（Ｐ）および臭気検出限界（「ＯＤＴ」）で特徴づけられる。香料成分のオクタノール／水分配係数は、オクタノール中のその平衡濃度と水中のその平衡濃度との間の比である。本発明のＨＩＡ香料成分は、約７６０ｍｍＨｇの標準圧力において測定した沸点が約２７５℃以下、オクタノール／水分配係数Ｐが約２，０００以上、そしてＯＤＴが５０ｐｐｂ以下である。本発明の好ましい香料成分の分配係数は値が大きいので、これらは底１０に対する対数の形、ｌｏｇＰで示すとより好都合である。従って、本発明の好ましい香料成分のｌｏｇＰは約２以上である。
【００１６】
多くの香料成分の標準７６０ｍｍＨｇでの沸点は、例えば「Ｐｅｒｆｕｍｅ  ａｎｄ  Ｆｌａｖｏｒ  Ｃｈｅｍｉｃａｌｓ  （Ａｒｏｍａ  Ｃｈｅｍｉｃａｌｓ）」、Ｓｔｅｆｆｅｎ  Ａｒｃｔａｎｄｅｒ、著者発行、１９６９年（参照することによってここに記載されたものとする）に示されている。
【００１７】
多くの香料成分のｌｏｇＰ値は報告されている。例えば、カリフォルニア州アービンのデイライト・ケミカル・インフォメーション・システム社（デイライトＣＩＳ）から入手しうるＰｏｍｏｎａ９２データベースには多くの値が示されており、原典も引用されている。しかしながら、ｌｏｇＰ値はやはりデイライトＣＩＳから入手しうる「ＣＬＯＧＰ」プログラムによって計算するのが最も便利である。このプログラムは、Ｐｏｍｏｎａ９２データベースで入手しうるときは、実験ｌｏｇＰ値も示している。「計算ｌｏｇＰ（ＣｌｏｇＰ）」は、ＨａｎｓｃｈおよびＬｅｏのフラグメント法（Ａ．Ｌｅｏ、Ｃｏｍｐｒｅｈｅｎｓｉｖｅ  Ｍｅｄｉｃｉｎａｌ  Ｃｈｅｍｉｓｔｒｙ、第４巻、Ｃ．Ｈａｎｓｃｈ、Ｐ．Ｇ．Ｓａｍｍｅｎｓ、Ｊ．Ｂ．ＴａｙｌｏｒおよびＣ．Ｒａｍｓｄｅｎ著、ｐ．２９５、パーガモン・プレス社、１９９０（参照することによってここに記載されたものとする））によって決定することができる。フラグメント法は、各香料成分の化学構造に基づき、そして原子の数および種類、原子結合、並びに化学結合を考慮する。本発明における有用な香料成分の選択の際には、この物理化学的性質の推定に最も信頼のおけるかつ広く用いられているＣｌｏｇＰ値を実験ｌｏｇＰ値の代わりに用いるのが好ましい。
【００１８】
臭気検出限界はガスクロマトグラフを用いて測定する。濃度および鎖長分布が既知の炭化水素標準を用いてガスクロマトグラフを較正して、注射器によって注入された物質の正確な体積、正確なスプリット比、および炭化水素レスポンスを測定する。空気流量を正確に測定し、人が吸入し続ける時間を１２秒として、サンプル体積を計算する。どの時点の検出器における濃度も正確に分かっているので、吸入した体積当たりの質量、従って物質の濃度は分かる。物質の限界がが５０ｐｐｂより下であるかどうかを測定するには、逆算した濃度の溶液を嗅ぎ口に放出する。回答者はＧＣ放出物の臭いを嗅ぎ、臭いに気づいたら、保持時間を確認する。回答者全員の平均で気づくことができる限界を判定する。
【００１９】
分析物の必要量をカラムに注入して、検出器を５０ｐｐｂ濃度にする。臭気検出限界を測定するための典型的なガスクロマトグラフパラメーターを下に挙げる。
ＧＣ：ＦＩＤ検出器を有する５８９０シリーズＩＩ
７６７３オートサンプラー
カラム：Ｊ＆ＷサイエンティフィックＤＢ−１
長さ  ３０ｍ、ＩＤ  ０．２５ｍｍ、膜厚  １ミクロン
方法：
スプリット注入：スプリット比１７／１
オートサンプラー：注入１回当たり１．１３マイクロリットル
カラム流：１．１０ｍＬ／分
空気流：３４５ｍＬ／分
内部温度  ２４５℃
検出器温度  ２８５℃
温度情報
初期温度：５０℃
温度上昇速度：５℃／分
最終温度：２８０℃
最終時間：６分
読み取り了解事項：（ｉ）  臭いを嗅ぐ時間は１回当たり１２秒
（ｉｉ）ＧＣ空気を加えて試料を希釈する
ＨＩＡ香料油は少なくとも２種のＨＩＡ香料成分を含み、各ＨＩＡ香料成分は、
（１）標準沸点が、７６０ｍｍＨｇで約２７５℃以下
（２）ＣＬｏｇＰまたは実験ＬｏｇＰ値が、約２以上、そして
（３）ＯＤＴが、５０ｐｐｂ以下でかつ１０ｐｐｂより大、
であり、下記のような加工デンプンにカプセル封入されており、そして粒状洗浄剤洗濯用組成物に用いられる。ＨＩＡ香料油は、製品の使用中並びに製品が洗濯溶液と接触している衣類上にあるとき、噴出し、すぐに気がつく。香料油中の香料成分の少なくとも４０％、好ましくは少なくとも５０％、最も好ましくは少なくとも７０％はＨＩＡ成分である。
【００２０】
表１にＨＩＡ香料成分のいつかの例を示すが、これらに限定されない。
【００２１】
表１  ＨＩＡ香料成分
ＨＩＡ成分
４−（２，２，６−トリメチルシクロヘキシ−１−エニル）−２−エン−４−オン、
（Ｅ，Ｚ）−２，４−デカジエン酸エチルエステル、
６−（および８−）イソプロピルキノリン、
アセトアルデヒドフェニルエチルプロピルアセタール、
（２−メチルブトキシ）−酢酸２−プロペニルエステル、
（３−メチルブトキシ）−酢酸２−プロペニルエステル、
２，６，１０−トリメチル−９−ウンデセナール、
２−ペンチルオキシ−グリコール酸アリルエステル、
ヘキサン酸２−プロペニルエステル、
１−オクテン−３−オール、
トランスアネトール、
イソブチル（ｚ）−２−メチル−２−ブテノエート、
アニスアルデヒドジエチルアセタール、
４−（１，１−ジメチルエチル）−ベンゼンプロパナール、
２，６−ノナジエン−１−オール、
３−メチル−５−プロピル−シクロヘキセン−１−オン、
（Ｚ）−２−メチル−ブタン酸３−ヘキセニルエステル、
［（３，７−ジメチル−６−オクテニル）オキシ］−アセトアルデヒド、
ラウロニトリル、
２，４−ジメチル−３−シクロヘキセン−１−カルブアルデヒド、
１−（２，６，６−トリメチル−１，３−シクロヘキサジエン−１−イル）−２−ブテン−１−オン、
（Ｅ）−１−（２，６，６−トリメチル−２−シクロヘキセン−１−イル）−２−ブテン−１−オン、
ガンマ−デカラクトン、
トランス−４−デセナール、
デカナール、
２−ペンチルシクロペンタノン、
１−（２，６，６−トリメチル−３−シクロヘキセン−１−イル）−２−ブテン−１−オン）、
２，６−ジメチルヘプタン−２−オール、
１，１′−オキシビス−ベンゼン、
１−（５，５−ジメチル−１−シクロヘキセン−１−イル）−４−ペンテン−１−オン、
２−メチル−ブタン酸エチルエステル、
エチルアントラニレート、
１，３，３−トリメチル−２−オキサビシクロ［２．２．２］オクタン、
オイゲノール、
３−（３−イソプロピルフェニル）ブタナール、
メチル  ２−オクチノエート、
４−（２，６，６−トリメチル−１−シクロヘキセン−１−イル）−３−ブテン−２−オン、
２−メトキシ−３−（２−メチルプロピル）−ピラジン、
６−ｓｅｃ−ブチルキノリン、
イソオイゲノール、
テトラヒドロ−６−（３−ペンテニル）−２Ｈ−ピラン−２−オン、
シス−３−ヘキセニルメチルカーボネート、
リナロール、
（Ｅ）−７，１１−ジメチル−３−メチレン−１，６，１０−ドデカトリエン、
２，６−ジメチル−５−ヘプテナール、
ヘキサヒドロ４，７−メタノインダン  １−カルボキシアルデヒド、
２−メチルウンデカナール、
メチル  ２−ノニノネート、
１，１−ジメトキシ−２，２，５−トリメチル−４−ヘキセン、
２−ヒドロキシ−安息香酸メチルエステル、
１−（５，５−ジメチル−１−シクロヘキセン−１−イル）４−ペンテン−１−オン、
３，６−ジヒドロ−４−メチル−２−（２−メチル−１−プロペニル）−２Ｈ−ピラン、
（Ｚ）−３，７−ジメチル−２，６−オクタジエンニトリル、
２，６−ノナジエナール、
（Ｚ）−６−ノネナール、
ノナナール、
オクタナール、
２−ノネンニトリル、
酢酸４−メチルフェニルエステル、
ガンマ−ウンデカラクトン、
６，６−ジメチル２−ノルピネン−２−プロピオンアルデヒド、
４−ノナノリド、
９−デセン−１−オール、
テトラヒドロ−４−メチル−２−（２−メチル−１−プロペニル）−２Ｈ−ピラン、
５−メチル−３−ヘプタノンオキシム、
３，７−ジメチル−オクタナール、
４−メチル−３−デセン−５−オール、
１０−ウンデセン−１−アール、
２−（１−エチルプロピル）−ピリジン、および
デカヒドロ−スピロ［フラン−２（３Ｈ），５′−［４，７］メタノ［５Ｈ］インデン］
【００２２】
本発明における使用に適した香料油組成物の例を次に示すが、本発明はこれらに限定されるものではない。
【００２３】
例１
0004975210.tif 000002
【００２４】
例２
0004975210.tif 000003
【００２５】
例３
0004975210.tif 000004
【００２６】
カプセル封入材料
ＨＩＡ香料油を水溶性加工デンプンでカプセル封入して加工デンプンカプセル封入物質を形成する。ＨＩＡ香料油を水溶性加工デンプンにカプセル封入すると、洗浄剤組成物に用いたとき、使用中の香りの信号が強くなる。
【００２７】
本発明の香料油のカプセル封入に適したデンプンは、原料デンプン、予備ゲル化デンプン、塊茎類、豆類、穀類および穀粒から誘導される加工デンプン、例えばコーンスターチ、小麦スターチ、ライススターチ、ワックス状コーンスターチ、カラス麦デンプン、カッサバデンプン、ワックス状大麦デンプン、スイートライススターチ、アミオカ、ジャガイモデンプン、タピオカデンプン、およびこれらの混合物からつくることができる。
【００２８】
本発明におけるカプセル封入マトリックスとしての使用に適した加工デンプンには、加水分解デンプン、酸減粘（acid thinned）デンプン，長鎖炭化水素のデンプンエステル、スターチアセテート、スターチオクテニルスクシネート、およびこれらの混合物が含まれる。
【００２９】
「加水分解デンプン」とは、デンプン、好ましくはコーンスターチの酸および／または酵素加水分解によって一般に得られる少糖類タイプの物質を意味する。本発明に適した加水分解デンプンには、マルトデキストリンおよびコーンシロップ固形分が含まれる。デンプンエステル混合物と共に含めるための加水分解デンプンは、デキストロース当量（ＤＥ）値が約１０〜約３６ＤＥである。ＤＥ値は、デキストロースに関する加水分解デンプンの減少当量の尺度であり、百分率（乾燥基準）で表される。ＤＥ値が高いほど、存在する糖は減少する。ＤＥ値の測定法は、Standard Analytical Methods of the Member Companies of Corn Industries Research Foundation、第６版、コーン・リファイナリーズ・アソシエーション社、ワシントンＤＣ、１９８０、Ｄ−５２に記載されている。
【００３０】
置換度が約０．０１〜約１０．０％のデンプンエステルは、本発明の香料油のカプセル封入に用いうる。変性エステルの炭化水素部分はＣ5−Ｃ16炭素鎖にすべきである。好ましくは、各種オクテニルスクシネート（ＯＳＡＮ）置換ワックス状コーンスターチ、例えば１）ワックス状デンプン：酸減粘およびＯＳＡＮ置換されている、２）コーンシロップ固形分のブレンド：ワックス状デンプン、ＯＳＡＮ置換およびデキストリン化されている、３）ワックス状デンプン：ＯＳＡＮ置換およびデキストリン化されている、４）コーンシロップ固形分またはマルトデキストリンとワックス状デンプンとのブレンド：酸減粘およびＯＳＡＮ置換され、そして煮沸および噴霧乾燥されている、５）ワックス状デンプン：酸減粘およびＯＳＡＮ置換され、そして煮沸および噴霧乾燥されている、６）高および低粘度の上記変性されたもの（酸処理レベルに基づく）も本発明で用いることができる。
【００３１】
スターチオクテニルスクシネートのような乳化およびエマルジョン安定化能力を有する加工デンプンは、デンプン加工剤が疎水特性であるため、香料油滴をエマルジョン中に取り込む能力を有する。熱力学的ファクター、すなわち、疎水性相互作用および立体障害によるエマルジョンの安定化により、香料油は、洗濯溶液に溶解されるまで、加工デンプン中に取り込まれ続ける。
【００３２】
例４  ＨＩＡ香料粒子をカプセル封入した加工デンプンの製造
次の記載は、本発明による洗浄剤組成物に用いるためのＨＩＡ香料粒子をカプセル封入した加工デンプンの適した製造法（これに限定されない）の例である。
【００３３】
１．２２５ｇのＣＡＰＳＵＬ加工デンプン（ナショナル・スターチ＆ケミカル社）を２４℃の水４５０ｇに加える。
２．混合物を６００ＲＰＭ（タービンインペラー直径２インチ）で２０分間撹拌する。
３．７５ｇの香料油をデンプン溶液の渦付近に加える。
４．形成されたエマルジョンをさらに２０分間（６００ＲＰＭで）撹拌する。
５．香料の液体粒子が１５ミクロン未満の大きさになったら、エマルジョンを噴霧乾燥塔にポンプで送り、乾燥用の空気流と共に回転ディスクを通して噴霧する。入り口空気温度は２０５〜２１０℃に設定し、出口空気温度は９８〜１０３℃で安定にする。
６．香料粒子をカプセル封入した加工デンプンの乾燥粒子は乾燥機出口で集める。
【００３４】
完成ＨＩＡ香料粒子の分析（全て重量に基づく）
0004975210.tif 000005
【００３５】
本発明のデンプンカプセル封入物質の他の公知の方法（これらに限定されない）には、流動床凝集、押し出し、冷却／結晶化法および界面重合を促す相転移触媒の使用がある。
【００３６】
ここに記載のカプセル封入ＨＩＡ香料粒子を含有する洗浄剤組成物を水に加えると、香料粒子の加工デンプンは水に溶解しはじめる。理論に結び付けることは望まないが、溶解した加工デンプンは膨潤し、香料液体粒子、加工デンプンおよび水のエマルジョンが形成され、加工デンプンは乳化剤およびエマルジョン安定剤となる。エマルジョンが形成された後、香料油は香料のより大きな液体粒子に融合し、これらは、香料液体粒子（たいてい低密度疎水性油）と洗濯水との間の相対的密度差により、溶液の表面または洗濯溶液中の布地の表面に移行することができる。液体粒子がいずれかの界面に達すると、これらは表面すなわち界面にそって速やかに広がる。洗濯液表面での香料液体粒子の広がりは香料油が揮発しうる表面積を増加し、これによってより多量の香料を洗濯溶液上のヘッドスペースに放出する。これによって、意外にも強く、消費者が気づきうる香りが洗濯溶液上のヘッドスペースに提供される。シクロデキストリンカプセルによって噴霧または放出される場合と比較して、同量のＨＩＡ香料油が本発明のＨＩＡ粒子によって顆粒洗浄剤に放出されると、洗濯溶液上のヘッドスペースに存在する香料の量は１０倍を越える。これは、ヘッドスペースの空気を集め、放出香料をその後濃縮し、一般的なガスクロマトグラフィーを用いてその質量を測定することにより確認できる。さらに、香料液体粒子と溶液中のぬれた布地との相互作用で、意外にも強く、消費者が気づきうる香りが湿ったおよび乾燥した布地に付与される。
【００３７】
上記のようなＨＩＡ香料油のカプセル封入では、本来のデンプン顆粒中にカプセル封入するよりも、多量の香料油を添加することが可能となる。シクロデキストリンを用いる香料油のカプセル封入は、ゲスト分子（香料）の粒子サイズおよびホスト（シクロデキストリン）のキャビティによって制限される。約２０％の香料をシクロデキストリン粒子へ添加することは難しい。しかしながら、エマルジョンの性質を有するように加工されたデンプンでカプセル封入すると、この制限はなくなる。本発明のカプセル封入は、１５ミクロン未満、好ましくは５ミクロン未満、最も好ましくは２．５ミクロン未満の大きさの香料油液体粒子を加工デンプンマトリックス内に取り込むことによって行われ、同時に、マトリックスはエマルジョンから水を除くことによって形成されるので、デンプンの加工の種類、方法およびレベルに基づいてより多くの香料を添加することができる。これに対して、従来のシクロデキストリン分子は香料油をそれらのキャビティの完全に内部に取り込むので、カプセル封入される香料油の大きさおよび量が制限される。本発明に記載の加工デンプンでカプセル封入すると、添加量を２０％より多くすることが可能である。
【００３８】
揮発性ＨＩＡ香料油のカプセル封入はまた、貯蔵中および製品容器を開けたときの減少を最少限にする。さらに、ＨＩＡ香料は一般に、カプセル封入粒子を含有する洗浄剤を洗濯溶液に溶解したときにのみ放出される。さらに、水溶性カプセル封入マトリックスは、本発明の粒状洗浄剤組成物中に一般に存在する各種界面活性剤系または漂白剤に起因する、そのままの製品における並びに洗濯溶液中における化学劣化から香料油を保護する。
【００３９】
他の適したマトリックス材料および方法の詳細については、例えば米国特許第３，９７１，８５２号、Ｂｒｅｎｎｅｒ等、１９７６年７月２７日発行（参照することによってここに記載されたものとする）に開示されている。
【００４０】
一般的な非ＨＩＡ香料油を含有する水溶性香料マイクロカプセルは、例えばＩＮ−ＣＡＰ（商標）としてポラックス・フルタル・ワーカーズ（Polak's Frutal Works）社（ニューヨーク州ミドルタウン）からおよびＯｐｔｉｌｏｋ  Ｓｙｓｔｅｍ（商標）カプセル封入香料としてインカプシュレイティド・テクノロジー（Encupsulated Technology）社（ニューヨーク州ナイアック）から商業的に得ることができる。
【００４１】
ここにおける洗浄剤組成物は、上記のＨＩＡ香料粒子をカプセル封入した加工デンプン約０．０１〜５０％を含む。ここにおける洗浄剤組成物は、より好ましくは約０．０５〜８．０％、さらにより好ましくは約０．０５〜３．０％のＨＩＡ香料粒子を含む。最も好ましくは、ここにおける洗浄剤組成物は約０．０５〜１．０％のカプセル封入ＨＩＡ香料粒子を含む。カプセル封入香料粒子の大きさは、好ましくは約１〜約１０００ミクロン、より好ましくは約５０〜約５００ミクロンである。
【００４２】
カプセル封入香料粒子は、次のように組成物中で洗浄剤成分と共に用いられる。
【００４３】
任意の洗浄剤添加剤
好ましい態様として、一般的な洗浄剤成分は、洗浄剤界面活性剤および洗浄剤ビルダーのような一般的な洗浄剤組成物成分から選択される。任意に、洗浄剤成分は１種以上の他の洗浄剤添加剤、または洗浄性能を助けるまたは高めるための、洗浄すべき物質を処理するための、または洗浄剤組成物の美的感覚を変えるための他の物質を含有していてもよい。洗浄剤組成物の通常の洗浄剤添加剤には、Ｂａｓｋｅｒｖｉｌｌｅ等の米国特許第３，９３６，５３７号、およびＴｒｉｎｈ等の１９９７年９月２４日発行英国特許出願第９７０５６１７．０号に示されている成分が含まれる。そのような添加剤は洗浄剤組成物中にそれらの一般的な技術分野で確立された使用レベル、一般に洗浄剤成分の０〜約８０％、好ましくは約０．５〜約２０％で含まれ、それらにはカラースペクル、発泡増進剤、発泡抑制剤、曇り防止剤および／または腐食防止剤、汚れ懸濁化剤、汚れ放出剤、染料、充填剤、蛍光増白剤、殺菌剤、アルカリ源、ヒドロトロープ、酸化防止剤、酵素、酵素安定剤、溶媒、可溶化剤、キレート化剤、クレー汚れ除去／再付着防止剤、ポリマー分散剤、加工助剤、布地柔軟化成分、帯電抑制剤、漂白剤、漂白活性剤、漂白安定剤等がある。
【００４４】
顆粒洗浄剤組成物
上記カプセル封入香料粒子は低密度（５５０ｇ／リットル未満）顆粒洗浄剤組成物および顆粒密度が少なくとも５５０ｇ／リットルの高密度顆粒洗浄剤組成物にまたは洗濯用洗浄剤添加剤製品に用いることができる。そのような高密度洗浄剤組成物は約３０〜約９０％の洗浄剤界面活性剤を一般に含む。
【００４５】
低密度組成物は標準噴霧乾燥プロセスによって製造することができる。高密度顆粒洗浄剤組成物の製造には様々な手段および装置が用いられる。この分野の現在の商業的慣行では、噴霧乾燥塔を用いて、しばしば密度が約５００ｇ／ｌ未満の顆粒洗濯用洗浄剤を製造している。従って、噴霧乾燥を全体プロセスの一部として用いるならば、得られる噴霧乾燥洗浄剤粒子は、下記の手段および装置を用いてさらに緻密にしなければならない。あるいは、商業的に入手しうる混合、緻密化および顆粒化装置を使用することによって噴霧乾燥を省略してもよい。
【００４６】
高速ミキサー／緻密化装置を本方法で用いうる。例えば、「Ｌｏｄｉｇｅ  ＣＢ３０」Ｒｅｃｙｃｌｅｒの商標で市販されている装置は、混合／切断刃を取り付けた中心回転軸を有する静電円筒形混合ドラムよりなる。他のそのような装置には、「Ｓｈｕｇｉ  Ｇｒａｎｕｌａｔｏｒ」および「Ｄｒａｉｓ  Ｋ−ＴＴＰ８０」の商標で市販されている装置がある。「Ｌｏｄｉｇｅ  ＫＭ６００  Ｍｉｘｅｒ」の商標で市販されているような装置もさらなる緻密化に用いることができる。
【００４７】
操作の１つの方法では、組成物を、連続操作する２つのミキサーおよび緻密化装置に通すことによって製造かつ緻密化する。従って、望ましい組成物の成分は滞留時間０．１〜１．０分でＬｏｄｉｇｅミキサーに通して混合し、次いで第２Ｌｏｄｉｇｅミキサーに滞留時間１〜５分で通過させる。
【００４８】
別の方法では、望ましい配合成分を含む水性スラリーを、粒状界面活性剤の流動床に噴霧する。得られた粒子は上記のようにＬｏｄｉｇｅ装置に通すことによってさらに緻密化することができる。香料放出粒子はＬｏｄｉｇｅ装置内で洗浄剤組成物と混合する。
【００４９】
粒子の最終密度は、顆粒洗浄剤を既知容量の容器に入れ、洗浄剤の重量を測定し、そして密度をｇ／ｌで記録することを一般に含む、様々な簡単な技術によって測定することができる。
【００５０】
低または高密度顆粒洗浄剤「基本」組成物を製造したら、本発明のカプセル封入香料粒子を適当な乾燥混合操作によってそれに加える。
【００５１】
香料の布地表面への付着
布地の洗濯およびそれへの香料の付着法は、布地を、少なくとも約１００ｐｐｍの上記の一般的な洗浄剤成分並びに少なくとも約０．１ｐｐｍの上記カプセル封入香料粒子を含む水性洗濯液と接触させることを含む。水性液は約５００〜約２０，０００ｐｐｍの一般的な洗浄剤成分および約１０〜約２００ｐｐｍのカプセル封入香料粒子を含むのが好ましい。
【００５２】
カプセル封入香料粒子はあらゆる洗濯条件下で作用するが、それらは使用中の洗濯水溶液および貯蔵中の乾燥布地に香りの効果をもたらすのに特に有用である。
【００５３】
次の例は本発明で用いるパラメーターおよび組成を示すものであるが、これらに限定されない。全ての％、部および比は断りがなければ重量に基づく。
【００５４】
【表１】
0004975210.tif 000006